(57)【要約】【課題】パペットに保持させたリーダー部６で絵本に印刷されたドットパターンにタッチすることにより、絵柄に関連する音声が出力されるので恰もパペットが絵柄が何であるかを判断して音声を出力しているような印象を与え、見た目の可愛らしさと相まって飽きのこないパペット玩具を提案すること。【解決手段】ドットコードｂを読み取る読み取り装置はペン型のリーダー部６と、該リーダー部６で読み取ったドットコードｂに基づき記憶手段７に記憶された音声データを読み出して音声発生手段８に音声を出力させる制御手段９を備えた装置本体１０とから構成され、上記装置本体１０はパペット体１に収納し、リーダー部６はパペット体１の手部３で保持するようにし、上記ドットコードｂは絵本などのシート体Ａに印刷された絵柄等の視覚情報ａに重ねて印刷し、上記記憶手段７に記憶させる音声データは上記視覚情報ａに関連した内容の音声データにした。【選択図】図１
2005034442.tif 000002
【特許請求の範囲】
【請求項１】
ドットコードと該ドットコードを読み取る読み取り装置とから構成されるドットコード認識システムを有する、以下の要件を備えることを特徴とするパペット玩具。
（イ）上記読み取り装置はペン型のリーダー部と、該リーダー部で読み取ったドットコードに基づき記憶手段に記憶された音声データを読み出して音声発生手段に音声を出力させる制御手段を備えた装置本体とから構成され、上記リーダー部と装置本体とは有線又は無線で接続されていること
（ロ）上記装置本体はパペット体に収納され、リーダー部はパペット体の手部で保持されること
（ハ）上記ドットコードは絵本などのシート体に印刷された絵柄等の視覚情報に重ねて印刷され、該ドットコードは上記視覚情報に対応してドット構成が異なるように設定されていること
（ニ）上記記憶手段に記憶されている音声データは上記視覚情報に関連した内容の音声データであること
【請求項２】
前記記憶手段は前記視覚情報に関連した音声データを記憶したカートリッジで構成され、該カートリッジは前記装置本体に着脱可能である、請求項１記載のパペット玩具。
【請求項３】
以下の要件を備えることを特徴とする、請求項１又は２記載のパペット玩具。
（イ）前記ドットコードは赤外線を吸収するインクで容易に視認できない程度の大きさのドットで印刷され、前記絵本などのシート体の視覚情報は赤外線をほとんど吸収しないインクで印刷されていること
（ロ）前記リーダー部には前記シートに赤外線を照射する光源と、シート体で反射する反射光を取り込むセンサユニットとが設けてあること
【発明の詳細な説明】
【技術分野】
【０００１】
本発明は、パペット玩具、詳しくはパペット体に保持させたリーダー部でドットコードを読み取り、読み取ったドットコードに関連した音声情報をパペット体に収容した装置から出力させるようにしたパペット玩具に関するものである。
【背景技術】
【０００２】
従来、絵本の絵にタッチすることにより、タッチした絵に関連する音声が出力される音玩具として、音の出る絵本が提案されている（例えば、特許文献１）。
【０００３】
この音の出る絵本は、絵本の表紙又は裏表紙にスイッチと音を発生させる機構（音声記憶装置、音声発生装置、電源など）が配置されているもので、絵本を開いて絵の部分をタッチするとタッチ絵の下にあるスイッチがＯＮし、このスイッチがＯＮすることにより押された部分が特定でき、その位置に関する音声データが記憶装置から読み出されて音声発生装置から音声が出力されるようになっているものである。
【特許文献１】特開２０００−８４２６６号公報
【発明の開示】
【発明が解決しようとする課題】
【０００４】
本発明が解決しようとする問題点は、上記玩具（音の出る絵本）は、絵本そのものに音声出力に関連する装置が全て収容されているため、同じ絵本を繰り返し読むことになり、やがては飽きられてしまうものであり、新たに絵本を購入しなければならないが、絵本に全ての装置が配置されているため絵本自体のコストが高くなり購買意欲をそがれる問題点があった。
【０００５】
本発明は、上記問題点を解決し、パペットに保持させたリーダー部で絵本に印刷されたドットパターンにタッチすることにより、絵柄に関連する音声が出力されるので恰もパペット玩具が絵柄が何であるかを判って喋っているような印象を与え、見た目の可愛らしさと相まって飽きのこないパペット玩具を提案することをその課題とする。
【課題を解決するための手段】
【０００６】
前記課題を解決するために本発明に係るパペット玩具は、ドットコードと該ドットコードを読み取る読み取り装置とから構成されるドットコード認識システムを有する、以下の要件を備えることを特徴とする。
（イ）上記読み取り装置はペン型のリーダー部と、該リーダー部で読み取ったドットコードに基づき記憶手段に記憶された音声データを読み出して音声発生手段に音声を出力させる制御手段を備えた装置本体とから構成され、上記リーダー部と装置本体とは有線又は無線で接続されていること
（ロ）上記装置本体はパペット体に収納され、リーダー部はパペット体の手部で保持されること
（ハ）上記ドットコードは絵本などのシート体に印刷された絵柄等の視覚情報に重ねて印刷され、該ドットコードは上記視覚情報に対応してドット構成が異なるように設定されていること
（ニ）上記記憶手段に記憶されている音声データは上記視覚情報に関連した内容の音声データであること
【０００７】
なお、前記記憶手段は前記視覚情報に関連した音声データを記憶したカートリッジで構成され、該カートリッジは前記装置本体に着脱可能であることが好ましい。
【０００８】
また、前記パペット玩具は、以下の要件を備えるようにすればよい。
（イ）前記ドットコードは赤外線を吸収するインクで容易に視認できない程度の大きさのドットで印刷され、前記絵本などのシート体の視覚情報は赤外線をほとんど吸収しないインクで印刷されていること
（ロ）前記リーダー部には前記シートに赤外線を照射する光源と、シート体で反射する反射光を取り込むセンサユニットとが設けてあること
【発明の効果】
【０００９】
請求項１の発明によれば、パペット玩具を手にしてパペット玩具の手部に保持させたリーダー部を絵本等のシート体に絵柄に重ねて印刷されたドットコードにタッチすることにより、絵柄に関連した音声が出力されるので、恰もパペット玩具が絵柄を認識して喋っているような印象を与え、見た目の可愛らしさと相まって飽きのこないパペット玩具を提案することができる。
【００１０】
請求項２の発明によれば、記憶手段をカートリッジで構成し、このカートリッジを着脱可能にしたので、新たにカートリッジと絵本を購入すれば新たな楽しみを得ることができる。
【００１１】
請求項３の発明によれば、ドットコードを赤外線を吸収するインクで容易に視認できない程度の大きさのドットで印刷するとともに絵本などのシート体の視覚情報は赤外線をほとんど吸収しないインクで印刷し、リーダー部には上記シート体に赤外線を照射する光源と、シート体で反射した反射光をセンサユニットで取り込むようにしたので、ドットコードが視覚的な邪魔にならず、しかも読取装置で確実に読み取ることができる。
【発明を実施するための最良の形態】
【００１２】
ドットコードを読み取る読み取り装置はペン型のリーダー部と、該リーダー部で読み取ったドットコードに基づき記憶手段に記憶された音声データを読み出して音声発生手段に音声を出力させる制御手段を備えた装置本体とから構成され、上記リーダー部と装置本体とは有線又は無線で接続し、上記装置本体はパペット体に収納し、リーダー部はパペット体の手部で保持するようにし、上記ドットコードは絵本などのシート体に印刷された絵柄等の視覚情報に重ねて印刷し、上記記憶手段に記憶させる音声データは上記視覚情報に関連した内容の音声データにした。
【実施例１】
【００１３】
図１は本発明に係るパペット玩具の一例を示し、このパペット玩具は、動物を模して形成されたパペット体１の内部に手を差し込み、頭部２に差し込んだ指を動かすことにより頭部２を動かしたり、手部３に差し込んだ指を動かすことにより手部３を動かしたりすることができるようになっている公知のパペット体で、パペット体単独でも遊ぶことができるようになっているもので、このパペット体１の背中にはリュックを模して形成された収納部４が形成されている。
【００１４】
上記パペット体１には絵本などのシート体Ａに印刷された絵柄等の視覚情報ａに重ねて印刷されたドットコードｂを読み取る読み取り装置５が収納されている。この読み取り装置５は、ペン型のリーダー部６と、該リーダー部６で読み取ったドットコードに基づき記憶手段７に記憶された音声データを読み出して音声発生手段８に音声を出力させる制御手段９を備えた装置本体１０とから構成され（図２参照）、装置本体１０とリーダー部６とはケーブル１１で接続され、装置本体１０をパペット体１の背中に形成された収容部４に収容し、リーダー部６はパペット体１の手部３で挟持し、リーダー部６を動物が手に持っているようにすることができるようになっている。
【００１５】
絵本等のシート体Ａには絵柄（視覚情報）ａとともにドットコードｂが印刷されている。このドットコードｂは赤外線を吸収するインク（例えば、カーボンインク）で印刷し、視覚情報（絵柄）ａは赤外線をほとんど吸収しないインク（例えば、基本の色インク、すなわちシアン、マゼンダ、イエローの組合せ）でカラー印刷され、ドットコードｂは絵柄ａの視覚上の邪魔にならないように容易に視認できないような小さなドット（０．５ミリ角内に６Ｘ６個）で構成され、このドットコードは上記絵柄に対応してドット構成が異なるように設定されている（図３参照）。
【００１６】
このドットコードｂは、６Ｘ６の２次元マトリックスコードを１つのデータ単位とし、視覚情報（絵柄）ａ上に２次元的に連続して印刷されているもので、ヘッダ情報ｂ１とデータ情報ｂ２とから構成され、ヘッダ情報ｂ１はドットコードｂを他のドットコードｂと切り分ける情報を備え、データ情報ｂ２は視覚情報ａに対応してドット構成が異なり視覚情報を特定することができるようになっているものである。
【００１７】
図４に示すように、リーダー部６には赤外線を照射する光源１５と、導光体１６ａと一体に形成されたレンズ１６、フィルター１７、画像センサー１８及び、処理プログラムを内蔵したドットパターン認識ＣＰＵ１９とからなるセンサユニットとが収容され、光源１５から導光体１６ａを介してシート体Ａに照射された赤外線の一部はドットコードｂで吸収され、シート体Ａで反射拡散した反射光はレンズ１６で集光されフィルター１７を通して画像センサー１８に取り込まれ、取り込まれた画像はデジタル信号に変換され、デジタル信号はドットパターン認識ＣＰＵ１９でデータ情報ｂ２からドットコードが解析され、そのドットコードｂを構成するドットの組合せを数字コードに変換する。装置本体１０に配置された制御部であるプログラマブル音声合成ＣＰＵ９は数字コードに基づいてカートリッジ２１に内装された記憶手段７であるＲＯＭから音声データを読み出し、音声信号に変換して音声出力装置であるスピーカ８からドットコードｂ（視覚情報ａ）に関連する音声を出力させるようになっている。
【００１８】
なお、装置本体１０には上記カートリッジ２１のプラグ２４を差し込むソケット２５が設けられ、カートリッジ２１を自由に交換することができるようになっているが、このカートリッジ２１は絵本の内容に合わせでＲＯＭ７の内容が記述されており、絵本を取り替えた場合はカートリッジ２１も絵本とセットになっているカートリッジ２１に交換すればよい。
【００１９】
上記構成のパペット玩具によれば、装置本体１０のソケット２５にカートリッジ２１のプラグ２４を差込み、カートリッジ２１が取り付けられた装置本体１０をパペット体１の収納部４に収納した後、パペット体１内部に手を差し込んでパペット体１の手部３でペン型のリーダー部６を保持し、シート体Ａ上に表示された絵柄（視覚情報）ａにリーダー部６の先端を接触させる。
【００２０】
リーダー部６の内部には赤外線を照射する光源１５が配置されているので、赤外線はシート体Ａに照射され、赤外線の一部はドットコードｂで吸収され、ドットコードｂのない部分の絵柄は赤外線を透過してシート体Ａ上で反射した赤外線は、レンズ１６、フィルター１７を通して画像センサー１８に取り込まれ、画像センサー１８でデジタル信号に変換され、変換されたデジタル信号はＣＰＵ１９でドットコードｂが認識され、ドットコードｂ（絵柄ａ）に関連した音声データが記憶媒体（ＲＯＭ）７から読み取られ、音声信号に変換されてスピーカ８から絵柄ａに関連する音声が出力されるので、恰もパペット玩具が絵柄ａを認識して喋っているような印象を与え、見た目の可愛らしさと相まって飽きのこないパペット玩具を提案することができる。
【産業上の利用可能性】
【００２１】
なお、上述のパペット玩具は、装置本体１０を収納する収納部４をパペット体１の外側にリュック状に形成したが、パペット体１の背面側を二重構造にし、ファスナーなどで開閉可能にし、パペット体１の内部に装置本体１０を収納できるようにしてもよい。
【００２２】
また、リーダー部６と装置本体１０とはケーブル１１で接続しデータの送信を有線で行なっているが、リーダー部に送信用ＩＣ、送信用赤外線ＬＥＤ、装置本体にフォトダイオード、受信用ＩＣを付加し、無線でデータの送信を行なうことができるようにしてもよい。
【図面の簡単な説明】
【００２３】
【図１】本発明のパペット玩具の使用態様を説明する斜視図
【図２】ドットコードの読み取り装置の構成を説明する斜視図
【図３】ドットコードの説明図
【図４】上記読み取り装置のブロック図
【符号の説明】
【００２４】
１    パペット体
５    読み取り装置
６    リーダー部
７    記憶媒体（ＲＯＭ）
１０    装置本体
【図１】
2005034442.tif 000003
【図２】
2005034442.tif 000004
【図３】
2005034442.tif 000005
【図４】
2005034442.tif 000006